【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】  観客に広告情報を提供するためのシステムにおいて、
複数のジョブリクエストを受信するジョブリクエスト手段であって、各ジョブリクエストは広告を表象するデータと広告スケジュールリクエストを表象するデータとを含み、広告スケジュールリクエストを表象する上記データは、リクエストされた映画のジャンルと、リクエストされた映画の評価と、リクエストされた上映場所と、リクエストされた上映時間と、リクエストされた映画のリリース開始日と、リクエストされた映画のリリース終了日のうちの少なくとも１つのものを含んでいる手段と、
上記複数のジョブリクエストを受信して記憶する記憶手段と、
複数の実績映画上映を記憶する実績映画上映記憶手段であって、各実績映画上映は、映画上映識別情報を表象する実績映画上映データと観客共通興味データとを含み、上記観客共通興味データは、映画のジャンルと、映画の評価と、上映場所と、映画上映時間と、映画のリリース開始日と、映画のリリース終了日のうちの少なくとも１つのものを表象するデータを含んでいる手段と、
コンピュータ処理システムを用いて、上記複数のジョブリクエストの中から選択された複数の選択ジョブリクエストに関連する上記複数の実績映画上映の中から複数の選択実績映画上映を選択して上記各選択実績映画上映に関連するスケジュールを決定する自動選択手段であって、各選択実績映画上映は、各選択ジョブリクエストの関連広告スケジュールリクエストについての映画のジャンルと、映画の評価と、上映場所と、映画上映時間と、映画のリリース開始日と、映画のリリース終了日と共通する、映画のジャンルと、映画の評価と、上映場所と、映画上映時間と、映画のリリース開始日と、映画のリリース終了日のうちの少なくとも１つのものを含み、各選択実績映画上映に関連する広告のスケジュールをこなすようになっている手段と、
関連する各選択実績映画上映において広告のスケジュールを提供する提供手段とを含んでいて、
広告の各スケジュールをみた人の数を示す上映データを生成するようになっていることを特徴とするシステム。
【請求項２】  上記自動選択手段は、各選択実績映画上映と関連する複数の選択ジョブリクエストを選択することを特徴とする、請求項１に記載のシステム。
【請求項３】  上記自動選択手段は、各選択ジョブリクエストと関連する複数の選択実績映画上映を選択することを特徴とする、請求項１に記載のシステム。
【請求項４】  各選択実績映画上映と関連する選択ジョブリクエストと関連する広告の提供を表象するデータを記録するための上映記録生成ユニットをさらに備えていることを特徴とする、請求項１に記載のシステム。
【請求項５】  上記観客共通興味データが映画の評価に関する情報を含んでいることを特徴とする、請求項１に記載のシステム。
【請求項６】  上記観客共通興味データが、映画の上映が予定されている日時に関する情報をさらに含んでいることを特徴とする、請求項１に記載のシステム。
【請求項７】  上記観客共通興味データが、映画の上映が予定されている日時が、上記劇場における上記映画の最初の上映であるか否かに関する情報をさらに含んでいることを特徴とする、請求項１に記載のシステム。
【請求項８】  複数のフレームを複合フレームにアセンブルするアセンブリ手段をさらに備えていることを特徴とする、請求項１に記載のシステム。
【請求項９】  上記提供システムがデジタルプロジェクタを備えていて、上記複合フレームは上記デジタルプロジェクタによって表示されることを特徴とする、請求項８に記載のシステム。
【請求項１０】  上映報告を作成することを特徴とする、請求項１に記載のシステム。
【請求項１１】  観客に広告情報を提供するためのシステムにおいて、
複数のジョブリクエストを受信するジョブリクエスト手段であって、各ジョブリクエストはコンテンツを表象するデータとコンテンツスケジュールリクエストを表象するデータとを含み、コンテンツスケジュールリクエストを表象する上記データは、リクエストされた映画のジャンルと、リクエストされた映画の評価と、リクエストされた上映場所と、リクエストされた上映時間と、リクエストされた映画のリリース開始日と、リクエストされた映画のリリース終了日のうちの少なくとも１つのものを含んでいる手段と、
上記複数のジョブリクエストを受信して記憶する記憶手段と、
複数の実績映画上映を記憶する実績映画上映記憶手段であって、各実績映画上映は、映画上映識別情報を表象する実績映画上映データと観客共通興味データとを含み、上記観客共通興味データは、映画のジャンルと、映画の評価と、上映場所と、映画上映時間と、映画のリリース開始日と、映画のリリース終了日のうちの少なくとも１つのものを表象するデータを含んでいる手段と、
コンピュータ処理システムを用いて、上記実績映画上映の各々のためのスケジュールをこなすようになっている自動スケジュール手段であって、上記各スケジュールは、選択された複数のジョブリクエストの中からコンテンツを表象するデータを識別するデータを含み、各スケジュールと関連する各実績映画上映は、各関連選択ジョブリクエストが含まれるコンテンツスケジュールリクエストを表象するデータのうちの少なくとも一部と整合する観客共通興味データを含んでいる自動スケジュール手段と、
それぞれ複数の関連場所において上記複数の実績映画上映の各々と関連しているスケジュールに関連するコンテンツを提供する複数の提供アセンブリとを備えていて、
広告の各スケジュールをみた人の数を示す上映データを生成するようになっていることを特徴とするシステム。
【請求項１２】  上記複数の実績映画上映の各々に対する上記コンテンツのスケジュールの各々は、関連する実績映画上映において上映が予定されている映画よりも前における全面的な提供を含んでいることを特徴とする、請求項１１に記載のシステム。
【請求項１３】  上記自動スケジュール手段は、コンテンツのスケジュール内において重複するコンテンツを識別するための重複解析手段を含んでいることを特徴とする、請求項１１に記載のシステム。
【請求項１４】  各選択ジョブリクエストに関連するコンテンツの提供を表象するデータを記録するための上映記録生成手段をさらに備えていることを特徴とする、請求項１１に記載のシステム。
【請求項１５】  観客に広告情報を提供する方法であって、
複数のジョブリクエストを受信するステップであって、各ジョブリクエストは広告を表象するデータと広告スケジュールリクエストを表象するデータとを含み、広告スケジュールリクエストを表象する上記データは、リクエストされた映画のジャンルと、リクエストされた映画の評価と、リクエストされた上映場所と、リクエストされた上映時間と、リクエストされた映画のリリース開始日と、リクエストされた映画のリリース終了日のうちの少なくとも１つのものを含んでいるステップと、
上記複数のジョブリクエストを記憶するステップと、
複数の実績映画上映を記憶するステップであって、各実績映画上映は映画上映識別情報を表象する実績映画上映データと観客共通興味データとを含み、上記観客共通興味データは、映画のジャンルと、映画の評価と、上映場所と、映画上映時間と、映画のリリース開始日と、映画のリリース終了日のうちの少なくとも１つのものを表象するデータを含んでいるステップと、
コンピュータ処理システムを用いて、上記共通興味データと広告スケジュールリクエストを表象する上記データとを処理して上記複数の実績映画上映の各々のためのスケジュールをこなすようになっているステップであって、上記各スケジュールは複数のジョブリクエストと関連するデータを含み、各スケジュールと関連する各実績映画上映は、各関連選択ジョブリクエストが含まれる広告スケジュールリクエストを表象するデータのうちの少なくとも一部と整合する観客共通興味データを含んでいるステップと、
複数の関連場所において、上記複数の実績映画上映の各々と関連するスケジュールに関連する広告を提供するステップとを含んでいて、
観客の各メンバーから個人情報を受信し、さらに広告の各スケジュールをみた人の数を示す上映データを生成するようになっていることを特徴とする方法。
【請求項１６】  上記複数の実績映画上映の各々のためのスケジュールを決定するためにスケジュールリクエストを表象する上記データと上記共通興味データとを処理する上記ステップは、関連する実績映画上映において上映が予定されている映画の前に全部の提供を決定するようになっていることを特徴とする、請求項１５に記載の方法。
【請求項１７】  上記複数の実績映画上映の各々に対する上記各スケジュールに関連する上記複数のジョブリクエストに関連する広告の提供を表象するデータを含んでいる上映記録を生成するステップをさらに含んでいることを特徴とする、請求項１５に記載の方法。
【請求項１８】  各スケジュールの複数の広告を複合フレームに組み付けるステップをさらに含んでいて、広告を提供する上記ステップが上記複合フレームを提供するようになっていることを特徴とする、請求項１５に記載の方法。